(57)【要約】【課題】編集されたページ画像あるいは参照されたページ画像であることを見易く表すことが可能な表示制御方法、プログラム、および表示装置を提供する。【解決手段】表示画面の第１領域に前記ページ画像を表示する第１表示ステップと、表示画面の第１領域と異なる第２領域に複数のサムネイル画像を表示する第２表示ステップと、第１表示ステップで表示されるページ画像に対して第１操作が行なわれる場合に、ページ画像に対応するサムネイル画像に第１表示強調を施す第１表示強調ステップと、第２表示ステップで表示されるサムネイル画像に対して第２操作が行なわれる場合に、サムネイル画像に第２表示強調を施す第２表示強調ステップと、を含む表示制御方法。【選択図】図３
2017142711.tif 000002
【特許請求の範囲】
【請求項１】
ページ画像および前記ページ画像に対応するサムネイル画像を表示画面に表示する表示制御方法であって、
前記表示画面の第１領域に前記ページ画像を表示する第１表示ステップと、
前記表示画面の前記第１領域と異なる第２領域に複数の前記サムネイル画像を表示する第２表示ステップと、
前記第１表示ステップで表示される前記ページ画像に対して第１操作が行なわれる場合に、前記ページ画像に対応する前記サムネイル画像に第１表示強調を施す第１表示強調ステップと、
前記第２表示ステップで表示される前記サムネイル画像に対して第２操作が行なわれる場合に、前記サムネイル画像に第２表示強調を施す第２表示強調ステップと、を含むことを特徴とする表示制御方法。
【請求項２】
請求項１において、
前記第２表示ステップは、前記第２領域に複数の前記サムネイル画像を表示し、複数の前記サムネイル画像は部分的に重畳して表示されることを特徴とする表示制御方法。
【請求項３】
請求項１または２において、
前記第２操作が行なわれる時、第１領域に表示される前記ページ画像と前記第２表示強調が施される前記サムネイル画像とを関連付けて記憶する記憶ステップを含み、
前記第１領域に前記第１の前記ページ画像が表示される時、前記第２領域に、前記第１の前記ページ画像に関連付けて記憶され前記第２表示強調が施された前記サムネイル画像が表示されることを特徴とする表示制御方法。
【請求項４】
請求項１から３のいずれか一項において、
前記第２表示強調が施された前記サムネイル画像は、外部からの指示により前記第２表示強調の表示および非表示が切り替えられることを特徴とする表示制御方法。
【請求項５】
請求項１から４のいずれか一項において、
前記第１操作は、前記ページ画像に対して行われる編集操作であり、
前記第２操作は、前記サムネイル画像に対応する前記ページ画像を参照する画像参照操作であることを特徴とする表示制御方法。
【請求項６】
請求項１から５に記載の表示制御方法における各ステップを表示装置の制御部に実行させるプログラム。
【請求項７】
ページ画像および前記ページ画像に対応するサムネイル画像を表示する画像表示部と、
外部からの入力を取り込む入力部と、
前記ページ画像および前記サムネイル画像の表示を制御しかつ前記ページ画像および前記サムネイル画像の少なくとも一方に対する操作を制御する制御部と、を備え、
前記制御部が、請求項６に記載のプログラムを実行する表示装置。
【発明の詳細な説明】
【技術分野】
【０００１】
本発明は、表示装置のページ画像およびサムネイル画像の表示制御方法、表示制御方法を実行するプログラム、および表示装置に関する。
【背景技術】
【０００２】
複数のページ画像で構成される文献を表示装置の表示画面に表示して、表示されたページ画像の内容を編集したいという要望が生じる場合がある。例えば、特許文献１には、第１の技術として、自己が編集したいページ画像に対して実施された他者の編集結果をページ画像に対するサムネイル画像として、ページ画像とは別の表示領域に表示する技術が開示されている。また、第２の技術として、複数のページ画像をずらしながら重ね合わせて、他者の編集結果をページ画像に対するサムネイル画像として、編集されたページ画像の一部露出している部分に重ね合せて表示する技術が開示されている。
【先行技術文献】
【特許文献】
【０００３】
【特許文献１】特開２００８−２１０１９２号公報
【発明の概要】
【発明が解決しようとする課題】
【０００４】
ユーザーが、表示されたページ画像の内容を編集する時、他のページ画像の内容を参照したい場合が往々にして生ずる。その場合、ユーザーは、参照したいページ画像を探して内容を参照し目的を達成する。しかし、再度同じページ画像を参照したいことが度々生じるため、ユーザーは、書籍であれば対象のページに附箋を貼り付けるなどして後で使い易いように工夫する。また、どのページが編集されたかが分かるように、色違いの附箋を貼り付けたり、ページの角を折ったりすることがある。
表示装置におけるページ画像の編集においても、特許文献１の第２の技術を応用して、重なり合ったページ画像にサムネイル画像あるいはアノテーション（上述の附箋に相当）を貼付することによって、編集されたページ画像あるいは参照されたページ画像であることを表すことはできる。しかしながら、サムネイル画像あるいはアノテーションの貼付では、ページ画像と重なって見難い上、サムネイル画像あるいはアノテーションの内容を読み取らなければ何を表しているのか分からないという課題がある。さらに、サムネイル画像あるいはアノテーションの貼付がたくさんある場合は、互いが重なり合って内容が読めないという課題が生ずる。
【課題を解決するための手段】
【０００５】
本発明は、上述の課題の少なくとも一部を解決するためになされたものであり、以下の形態または適用例として実現することが可能である。
【０００６】
（形態または適用例）
本発明の表示制御方法は、ページ画像および前記ページ画像に対応するサムネイル画像を表示画面に表示する表示制御方法であって、前記表示画面の第１領域に前記ページ画像を表示する第１表示ステップと、前記表示画面の前記第１領域と異なる第２領域に複数の前記サムネイル画像を表示する第２表示ステップと、前記第１表示ステップで表示される前記ページ画像に対して第１操作が行なわれる場合に、前記ページ画像に対応する前記サムネイル画像に第１表示強調を施す第１表示強調ステップと、前記第２表示ステップで表示される前記サムネイル画像に対して第２操作が行なわれる場合に、前記サムネイル画像に第２表示強調を施す第２表示強調ステップと、を含む。
【０００７】
この方法によれば、ページ画像を第１領域に表示し、サムネイル画像を第２領域に表示する。そのため、サムネイル画像で文献の構成を確認しつつ、ページ画像およびサムネイル画像に対する操作を行うことができる。さらに、ページ画像に対する第１操作が行われた場合は、対応するサムネイル画像に第１表示強調を施し、サムネイル画像に対する第２操作が行なわれた場合は、サムネイル画像に第２表示強調を施す。そのため、サムネイル画像に施された表示強調の形態によって、対応するページ画像に対する操作が行なわれた場合とサムネイル画像に対する操作が行なわれた場合とが区分できる。
【０００８】
本発明において、前記第２表示ステップは、前記第２領域に複数の前記サムネイル画像を表示し、複数の前記サムネイル画像は部分的に重畳して表示されることが望ましい。
【０００９】
この方法によれば、複数のサムネイル画像を、ページ画像のページ順に基づいて隣り合うサムネイル画像と部分的に重畳するように所定の方向に並べて表示するため、表示画面の第２領域には、タイル状に配置される場合に比べてより多くのサムネイル画像が表示可能となる。
【００１０】
本発明において、前記第２操作が行なわれる時、第１領域に表示される前記ページ画像と前記第２表示強調が施される前記サムネイル画像とを関連付けて記憶する記憶ステップを含み、前記第１領域に前記第１の前記ページ画像が表示される時、前記第２領域に、前記第１の前記ページ画像に関連付けて記憶され前記第２表示強調が施された前記サムネイル画像が表示されることが望ましい。
【００１１】
この方法によれば、第１領域に第１のページ画像が表示されている時にサムネイル画像に第２操作が行なわれた場合、第２操作に基づく第２表示強調が施されたサムネイル画像が、第１のページ画像に関連付けて記憶される。さらに、第１のページ画像が表示される時、記憶されたサムネイル画像が表示される。そのため、第１のページ画像が表示されている時に、関連するサムネイル画像およびそのサムネイル画像に対応するページ画像を容易に確認できる。
【００１２】
本発明において、前記第２表示強調が施された前記サムネイル画像は、外部からの指示により前記第２表示強調の表示および非表示が切り替えられることが望ましい。
【００１３】
この方法によれば、第２表示強調が施されたサムネイル画像の表示を制御できる。そのため、第１表示強調が施されたサムネイル画像および第２表示強調が施されたサムネイル画像を同時に表示させることもできるし、第１表示強調が施されたサムネイル画像だけを表示させることもできる。そのため、ユーザーは、見易い表示を適宜選択することができる。
【００１４】
本発明において、前記第１操作は、前記ページ画像に対して行われる編集操作であり、前記第２操作は、前記サムネイル画像に対応する前記ページ画像を参照する画像参照操作であることが望ましい。
【００１５】
この方法によれば、第１操作はページ画像に対して行われる編集操作であり、第２操作はサムネイル画像に対して行われる画像参照操作である。したがって、サムネイル画像の表示形態を確認することによって、そのサムネイル画像に対応するページ画像に対して編集が行なわれたのか画像参照が行なわれたのかが判別できる。
【００１６】
本発明のプログラムは、上述の表示制御方法における各ステップを表示装置の制御部に実行させる。
【００１７】
この構成によれば、表示装置において、上記形態または適用例に記載の表示制御方法がソフトウェアにより実施可能となる。
【００１８】
本発明の表示装置は、ページ画像および前記ページ画像に対応するサムネイル画像を表示する画像表示部と、外部からの入力を取り込む入力部と、前記ページ画像および前記サムネイル画像の表示を制御しかつ前記ページ画像および前記サムネイル画像の少なくとも一方に対する操作を制御する制御部と、を備え、前記制御部が、上述のプログラムを実行する。
【００１９】
この構成によれば、ページ画像とサムネイル画像とを画像表示部に同時に表示してページ画像の編集操作が可能になる。さらに、サムネイル画像の表示形態を異ならせることによって、編集されたページ画像と参照されたページ画像とが区分される。ページ画像が表示されている時に、そのページ画像に関連して記憶されたサムネイル画像を表示させることができるため、そのページ画像に対して参照された他のページ画像を容易に確認でき使い勝手が向上する。
【図面の簡単な説明】
【００２０】
【図１】本発明に係る表示装置の一例の外観を示す図。
【図２】表示装置のシステム構成を示すブロック図。
【図３】表示装置の処理の一例を示すフローチャート。
【図４】画像表示の一形態を示す図。
【図５】表示装置と画像表示の他の一形態を説明する図。
【図６】画像表示の他の一形態を示す図。
【図７】本発明に係る表示装置の他の一例の外観を示す図。
【発明を実施するための形態】
【００２１】
（第１実施形態）
以下、本発明を適用した表示制御方法の第１実施形態について図面を参照して説明する。第１実施形態では、本発明を適用した表示装置として、画像を含む文献の一例である電子マニュアルや電子書籍あるいはユーザーが作成する文献を閲覧し編集可能なビューワー１０を例に挙げて説明する。
なお、以下の説明で参照する図面では、説明および図示の便宜上、部材ないし部分の縦横の縮尺を実際のものとは異なるように表す場合がある。また、説明に必要な構成要素以外は図示を省略する場合がある。
【００２２】
（表示装置の概要）
図１は、表示装置としてのビューワー１０の外観を示す図であり、ビューワー１０を表示画面１側から見た正面図である。表示画面１は、電子マニュアルや電子書籍あるいはユーザーが作成する文献の各ページ画像を表示し、各ページ画像を縮小したサムネイル画像を表示する。ビューワー１０は、表示画面１が配置される面に、入力部７としてボタン７Ａ〜７Ｆを備える。入力部７はユーザーの操作を受け付け、入力信号として処理する。すなわち、ユーザーは入力部７を操作して、ビューワー１０に所定の入力を行う。
【００２３】
（表示装置のシステム構成）
図２は、ビューワー（表示装置）１０のシステム構成を示すブロック図である。図２に示すように、ビューワー１０は、バスＢＵＳに接続される画像表示部２、制御部３、ＶＲＡＭ（Video RAM）４、ＲＡＭ（Random Access Memory）５、文献記憶部６、および入力部７を備える。バスＢＵＳに接続される各部間での信号あるいは情報の受け渡しは、バスＢＵＳを介して行われる。
【００２４】
画像表示部２は、液晶パネルなどの表示画面１と表示画面１に画像を表示させる信号を出力する表示駆動回路（不図示）とを含む。画像表示部２は、ＶＲＡＭ４に記憶される画像データを画像として表示画面１に表示させる。
【００２５】
制御部３は、ＣＰＵ（Central Processing Unit）、ＲＯＭ（Read Only Memory）、ＲＡＭを備える。制御部３は、ＲＯＭに記憶されたプログラムに基づいてビューワー１０の各部を制御する。例えば、制御部３は、各種画像データをＶＲＡＭ４に記憶させる制御や、入力部７から送られる入力信号からユーザーにより操作されるボタンや操作された内容を特定し、操作されたボタンや内容に基づいてビューワー１０を動作させる制御を行う。さらに、制御部３は、表示画面１に表示する画像に対する画像処理を制御する。画像処理としては、例えば、ページ画像の編集やサムネイル画像に対する表示強調の処理が行われる。
【００２６】
ＶＲＡＭ４は、展開された画像データが記憶されるメモリーである。ＶＲＡＭ４に記憶される画像データが表示画面１に表示される。
ＲＡＭ５は、制御部３によって実行され画像処理の内容および画像データとの関連付けが記憶されるメモリーである。
【００２７】
文献記憶部６は、書換え可能なメモリーであり、電子マニュアルや電子書籍あるいはユーザーが作成する文献などの文献データを記憶する。文献記憶部６は、複数の異なる文献データを記憶することができ、適宜文献データの書き換えが可能である。文献記憶部６は、例えばビューワー１０が内蔵する半導体メモリーであってもよいし、ＳＤメモリーカードなどの着脱可能な外部メモリーであってもよい。
入力部７は、ボタン７Ａ〜７Ｆ（図１参照）を備える。入力部７は、ボタン７Ａ〜７Ｆが操作されると、操作されたボタンに対応する入力信号を制御部３へ送信する。
【００２８】
（表示装置の動作）
図３は、ビューワー（表示装置）１０の処理の一例を示すフローチャートであり、ひいては制御部３によるページ画像およびサムネイル画像の表示の流れを示す。以降、図３のフローチャートに沿って、図４および図５を参照しつつ制御部３の動作を説明する。そのため、図４および図５について、先に説明する。
【００２９】
図４は、画像表示の一形態を示す図である。ビューワー１０の表示画面１は、仮想線Ａ（一点鎖線）で仕切られるページ画像表示領域Ｄ１（第１領域）とサムネイル画像表示領域Ｄ２（第２領域）とを有する。ページ画像表示領域Ｄ１には、文献記憶部６に記憶される文献データの一部のページであるページ画像が表示される。図４には、文献データの１ページが、１枚のページ画像Ｐ６として表示される例を示す。一方、サムネイル画像表示領域Ｄ２には、文献データの複数のページに対応するサムネイル画像Ｓ１〜Ｓ１１が、ページ画像のページ順に基づいて隣り合うサムネイル画像と部分的に重畳するように表示画面１の横方向（図面の正面視で左右方向）に並べて表示される。そのため、タイル状に配置される場合に比べ、より多くのサムネイル画像が表示される。
【００３０】
図４は、サムネイル画像表示領域Ｄ２に並べて表示された複数のサムネイル画像Ｓ１〜Ｓ１１の列の中央に表示された１枚のサムネイル画像Ｓ６に対応するページ画像Ｐ６が、ページ画像表示領域Ｄ１に表示された例である。本例は、ページ画像Ｐ６に、第１操作としての二つの編集操作が行なわれたことを示す。
編集操作の一つは文字情報の編集であり、ページ画像Ｐ６に記載された文字情報「色再現性」に編集が加えられたことが、網掛けＭで示される。編集操作の他の一つはユーザーによるコメントの貼付であり、コメントがアノテーションＡ６として附箋の形態でページ画像Ｐ６に付される。つまり、ページ画像表示領域Ｄ１には、ページ画像Ｐ６に対して行われる編集操作の内容が表示されるため、ユーザーは、ページ画像表示領域Ｄ１を視認することによって、ページ画像Ｐ６に行われた編集操作の内容を知ることができる。
【００３１】
また、ページ画像Ｐ６に何らかの編集操作（第１操作）が行なわれたことは、サムネイル画像Ｓ１〜Ｓ１１の表示形態に反映される。具体的には、図４の例では、編集操作が行なわれたページ画像Ｐ６に対応するサムネイル画像Ｓ６の輪郭線を二重線とする表示強調（第１表示強調）が施される。したがって、ユーザーは、サムネイル画像Ｓ１〜Ｓ１１の表示形態を確認することによって、どのサムネイル画像に対応するページ画像に対して編集操作が行なわれたかを知ることができる。図４では、サムネイル画像Ｓ６に加えて、サムネイル画像Ｓ３，Ｓ１１の輪郭線が二重線であるため、サムネイル画像Ｓ３，Ｓ１１に対応するページ画像Ｐ３，Ｐ１１に何らかの編集操作が行なわれたことが分かる。
一方、ここでは図示はしないが、例えば、輪郭線が二重線でないサムネイル画像Ｓ５が選択されて対応するページ画像Ｐ５がページ画像表示領域Ｄ１に表示された場合は、ページ画像Ｐ５に対して、図４に図示する網掛けＭやアノテーションＡ６に類する表示はされない。これは、ページ画像Ｐ５には、ページ画像に対する編集操作（第１操作）が行なわれていないためである。
【００３２】
図５は、ビューワー１０と画像表示の他の一形態を説明する図である。なお、図４と同一の構成部位については、同一の符号を使用し、重複する説明は省略する。
図５は、図４の画像表示状態において、ページ画像Ｐ６に対する編集操作のために他のページ画像が参照された状態を示す。具体的には、図５は、サムネイル画像Ｓ３，Ｓ５，Ｓ９が点滅していることを示す。これは、ページ画像Ｐ６に対する編集操作の時に、ページ画像Ｐ３，Ｐ５，Ｐ９を参照するためにサムネイル画像Ｓ３，Ｓ５，Ｓ９を選択する操作（第２操作）が行なわれたことを示す。
【００３３】
ユーザーは、ページ画像Ｐ６の表示中に他のページ画像を参照したい場合は、参照ボタン７Ｅを押圧した後ボタン７Ｃ，７Ｄを操作して参照したいページ画像に対応するサムネイル画像をサムネイル画像Ｓ１〜Ｓ１１の列の中央に移動させ、再度参照ボタン７Ｅを押圧する。これにより、列の中央に移動されたサムネイル画像が選択され、選択されたサムネイル画像に対応するページ画像が表示画面１に表示される。選択されたサムネイル画像に対応するページ画像は、例えば、編集中のページ画像Ｐ６に並べて配置し、参照可能に表示されてもよい。
このようにサムネイル画像に対して操作（第２操作）が行なわれたサムネイル画像は、図５に示すように点滅表示される（図５では、Ｓ３，Ｓ５，Ｓ９）。
【００３４】
また、ユーザーは、表示切替ボタン７Ｆを押圧することによって、サムネイル画像に対する表示強調の表示／非表示を切り替えることができる。具体的には、図５の例において、サムネイル画像Ｓ３，Ｓ５，Ｓ９の点滅を表示させるかあるいは非表示とするかを切り替えることができる。つまり、サムネイル画像Ｓ３，Ｓ５，Ｓ９が点滅している状態で表示切替ボタン７Ｆが押圧されると点滅は停止する。また、サムネイル画像Ｓ１〜Ｓ１１が点滅していない状態で表示切替ボタン７Ｆが押圧されると、サムネイル画像Ｓ３，Ｓ５，Ｓ９が点滅を始め図５に示す表示状態となる。
【００３５】
続いて、図３のフローチャートに沿って、制御部３の動作を説明する（図４および図５参照）。なお、説明を分かり易くするため、以下では、図４および図５の記載に基づいて、ページ画像表示領域Ｄ１に表示されるページ画像をページ画像Ｐ６と特定し、サムネイル画像表示領域Ｄ２に表示されるサムネイル画像をサムネイル画像Ｓ１〜Ｓ１１と特定して説明する。しかしながら、ページ画像およびサムネイル画像とも、これに限定されるものではない。
つまり、ビューワー１０においては、入力部７のボタン７Ａ〜７Ｆが操作されることによって、複数のサムネイル画像Ｓｘ〜Ｓｚから１枚のサムネイル画像Ｓｙが選択される（ｘ，ｙ，ｚは、ｘ＜ｙ＜ｚを満足する自然数。）。ビューワー１０は、選択されたサムネイル画像Ｓｙに対応するページ画像Ｐｙをページ画像表示領域Ｄ１に表示する。すなわち、ユーザーは、ボタン７Ａ〜７Ｆを操作してサムネイル画像表示領域Ｄ２に表示される複数のサムネイル画像Ｓｘ〜Ｓｚから所望のページを示すサムネイル画像Ｓｙを選択し、当該所望のページをページ画像表示領域Ｄ１に表示されるページ画像Ｐｙとして視認することができる。
【００３６】
ステップＳ０１：制御部３は、入力部７のボタン７Ａ〜７Ｆを使用してユーザーに指定された文献データを文献記憶部６から読み出し、文献データからページ画像とサムネイル画像とを作成する。具体的には、サムネイル画像表示領域Ｄ２に表示するサムネイル画像に対応するページ画像が作成される（図４では、サムネイル画像Ｓ１〜Ｓ１１に対応するページ画像Ｐ１〜Ｐ１１が作成される）。その後、ページ画像Ｐ１〜Ｐ１１を基にして、ページ画像のページ順に基づいて隣り合うサムネイル画像と部分的に重畳するように横方向に並べて表示されるサムネイル画像Ｓ１〜Ｓ１１の列が作成される。
【００３７】
ステップＳ０２：制御部３は、図４の例では、サムネイル画像Ｓ１〜Ｓ１１の列の中央に位置するサムネイル画像Ｓ６に対応するページ画像Ｐ６とサムネイル画像Ｓ１〜Ｓ１１とをＶＲＡＭ４に展開して記憶させる。画像表示部２は、ＶＲＡＭ４に記憶されたページ画像Ｐ６とサムネイル画像Ｓ１〜Ｓ１１とを画像として表示画面１に表示させる。
【００３８】
ステップＳ０１およびステップＳ０２により、表示画面１のページ画像表示領域Ｄ１にページ画像Ｐ６を表示する第１表示ステップとサムネイル画像表示領域Ｄ２にサムネイル画像Ｓ１〜Ｓ１１を表示する第２表示ステップとが実行される。これにより、表示画面１には、図４に示す形態で画像表示が行われ、ユーザーがページ画像Ｐ６の閲覧と編集を行なえる状態となる。
【００３９】
ステップＳ０３：制御部３は、ページ画像表示領域Ｄ１に表示されたページ画像Ｐ６がユーザーによって編集されるか否か確認する。確認の結果、ページ画像Ｐ６が編集されている場合は、ステップＳ０４の処理に進む（ステップＳ０３のＹ）。一方、編集されていない場合は、何も処理はしないでステップＳ０５の処理に進む（ステップＳ０３のＮ）。
【００４０】
ステップＳ０４：制御部３は、編集されたページ画像Ｐ６に対応するサムネイル画像Ｓ６に対して、輪郭線を二重線とする表示強調（第１表示強調）の処理を施す（第１表示強調ステップ）。さらに、サムネイル画像Ｓ６に対する第１表示強調処理の結果をＲＡＭ５に記憶し、ステップＳ０５の処理に進む。これにより、図４に示すように、サムネイル画像Ｓ６が、輪郭線が二重線である形態で表示される準備が整う。詳細は後述するが、図４は、サムネイル画像Ｓ６の他に、サムネイル画像Ｓ３，Ｓ１１が上述と同様にして第１表示強調処理を施されたことを示す。
【００４１】
ステップＳ０５：制御部３は、ページ画像Ｐ６の表示中に他のページ画像が参照されたか否か確認する。具体的には、参照ボタン７Ｅおよびボタン７Ｃ，７Ｄが操作されて、サムネイル画像が選択されたか否かを確認する。確認の結果、サムネイル画像が選択された場合は、対応するページ画像が参照されたものとしてステップＳ０６の処理に進む（ステップＳ０５のＹ）。一方、サムネイル画像を選択する操作が行なわれない場合は、他のページ画像が参照されなかったものとして、何の処理もせずステップＳ０７の処理に進む（ステップＳ０５のＮ）。
【００４２】
ステップＳ０６：制御部３は、選択されたサムネイル画像に対して、サムネイル画像を点滅させる表示強調（第２表示強調）の処理を施す（第２表示強調ステップ）。さらに、その表示強調処理の内容およびページ画像Ｐ６との関連付けをＲＡＭ５に記憶させる（記憶ステップ）。その後、ステップＳ０７の処理に進む。これにより、参照されたページ画像に対応するサムネイル画像が点滅表示される準備が整う。図５は、サムネイル画像Ｓ３，Ｓ５，Ｓ９が点滅表示され、ページ画像Ｐ６に対してサムネイル画像Ｓ３，Ｓ５，Ｓ９が操作されてページ画像Ｐ３，Ｐ５，Ｐ９が参照されたことを示す。
【００４３】
ステップＳ０７：制御部３は、ステップＳ０６においてＲＡＭ５に記憶された第２表示強調（サムネイル画像の点滅）処理の履歴を表示させる指示があったか否かを確認する。具体的には、図５の例において、サムネイル画像Ｓ１〜Ｓ１１が点滅していない状態で表示切替ボタン７Ｆが押圧された場合は、第２表示強調の履歴を表示させる指示があったものとしてステップＳ０９の処理に進む（ステップＳ０７のＹ）。一方、サムネイル画像Ｓ１〜Ｓ１１が点滅していない状態で表示切替ボタン７Ｆが操作されない場合、あるいはサムネイル画像Ｓ３，Ｓ５，Ｓ９が点滅している状態で表示切替ボタン７Ｆが押圧された場合は、第２表示強調の履歴を表示させない指示があったものとしてステップＳ０８の処理に進む（ステップＳ０７のＮ）。なお、制御部３は、第２表示強調の履歴が表示される状態であることを示す表示フラグを内蔵ＲＡＭに記憶しており、ステップＳ０７ではその表示フラグを参照して上記処理を行う。
【００４４】
ステップＳ０８：制御部３は、ステップＳ０４の処理においてＲＡＭ５に第１表示強調の結果が記憶されている場合、その結果を反映したサムネイル画像Ｓ１〜Ｓ１１の表示を行う。具体的には、本実施形態ではページ画像Ｐ３，Ｐ６，Ｐ１１が編集されたため、サムネイル画像Ｓ３，Ｓ６，Ｓ１１が第１表示強調（輪郭線が二重線）されてＲＡＭ５にその結果が記憶され、その結果を反映させて、図４に示すように、サムネイル画像Ｓ３，Ｓ６，Ｓ１１の輪郭線を二重線にしてサムネイル画像Ｓ１〜Ｓ１１をサムネイル画像表示領域Ｄ２に表示する。一方、ページ画像Ｐ１〜Ｐ１１のいずれも編集されずＲＡＭ５に第１表示強調の結果が記憶されない場合は、ステップＳ０２で表示された画面表示を維持する。さらに、前述の表示フラグを消去する。
【００４５】
ステップＳ０９：制御部３は、ステップＳ０４の処理での第１表示強調の結果およびステップＳ０６の処理での第２表示強調の結果がＲＡＭ５に記憶されている場合、その結果を反映したサムネイル画像Ｓ１〜Ｓ１１の表示を行う。具体的には、本実施形態では、ページ画像Ｐ３，Ｐ６，Ｐ１１が編集され、ページ画像Ｐ６に対してページ画像Ｐ３，Ｐ５，Ｐ９が参照されたため、図５に示すようにサムネイル画像Ｓ１〜Ｓ１１を表示する。つまり、ページ画像Ｐ６がページ画像表示領域Ｄ１に表示される時、サムネイル画像表示領域Ｄ２に、サムネイル画像Ｓ３，Ｓ６，Ｓ１１が第１表示強調（輪郭線が二重線）されて表示された上に、サムネイル画像Ｓ３，Ｓ５，Ｓ９の第２表示強調（サムネイル画像の点滅）を追加して表示する。さらに、前述の表示フラグを立てる。
【００４６】
以上のステップをＲＯＭに記憶されたプログラムに基づいて制御部３が実行することによって、図４および図５に示すように、ページ画像表示領域Ｄ１にはページ画像Ｐ６が表示され、サムネイル画像表示領域Ｄ２には、ページ画像のページ順に基づいて隣り合うサムネイル画像Ｓ１〜Ｓ１１が部分的に重畳するように並べて表示される。さらに、編集されたページ画像に対応するサムネイル画像が二重線の輪郭線で表示され、参照されたページ画像に対応するサムネイル画像が点滅表示される。さらに、ユーザーが、サムネイル画像の点滅を表示させるか非表示とするかを適宜選択することができる。
なお、ステップＳ０７の処理は、常時あるいは定期的に繰り返して行うことが望ましい。これにより、ユーザーがサムネイル画像の点滅の表示／非表示を選択するために表示切替ボタン７Ｆを操作した時に、ユーザーの操作に即応して表示形態が変更可能となる。
【００４７】
（作用効果）
上述のように、第１実施形態によれば、ページ画像がページ画像表示領域Ｄ１に表示され、サムネイル画像がサムネイル画像表示領域Ｄ２に表示されるため、ユーザーは、サムネイル画像で文献全体の構成を確認しつつページ画像を編集できる。さらに、編集が行われたページ画像に対応するサムネイル画像と参照されたページ画像に対応するサムネイル画像とが、それぞれ異なる形態で表示されるため、サムネイル画像表示領域Ｄ２を視認して、ページ画像に行われた編集の違いが判別できる。さらに、ページ画像表示領域Ｄ１に表示されたページ画像に対して参照されたページ画像のサムネイル画像が判別可能に表示されるため、繰り返してページ画像の編集を行う場合に作業性が向上する。さらに、サムネイル画像表示領域Ｄ２において附箋の貼付などは行わずサムネイル画像自体の表示強調によって判別可能に表示させるため、サムネイル画像の判読性の低下も生じない。そのため、サムネイル画像を隣り合うサムネイル画像と部分的に重畳するように並べて複数のサムネイル画像の表示を行う場合でも、上述の判別性および判読性の低下が生じることがない。さらに、参照されたページ画像のサムネイル画像に対する点滅は表示／非表示の選択が可能なため、ユーザーの用途に応じてサムネイル画像表示領域Ｄ２の表示を使い易いように切り替えることができる。
【００４８】
以上、本発明の実施形態を説明したが、本発明の主旨を逸脱しない範囲において、例えば下記のように、様々な変形を行いユーザーに最適の表示形態を選択することが可能である。
【００４９】
（変形例１）
第１実施形態においては、ビューワー１０の表示画面１は、仮想線Ａ（一点鎖線）によってページ画像表示領域Ｄ１（第１領域）とサムネイル画像表示領域Ｄ２（第２領域）とに仕切られる例を説明した。しかしながら、ページ画像表示領域Ｄ１およびサムネイル画像表示領域Ｄ２の配置はこれに限られず、図６に示すように両者の領域が一部重なってもよい。図６は、画像表示の他の一形態を示す図であり、ページ画像表示領域Ｄ１の下部（図面の正面視で手前側）とサムネイル画像表示領域Ｄ２の上部（図面の正面視で手前側から遠ざかる方向）とが一部重なる。そして、ページ画像表示領域Ｄ１にページ画像Ｐ２７，Ｐ２８が表示され、サムネイル画像表示領域Ｄ２にサムネイル画像Ｓ２１〜Ｓ３２が表示される。その結果、ページ画像Ｐ２７，Ｐ２８とサムネイル画像Ｓ２１〜Ｓ３２とが一部重なって表示される。
上記のように、ページ画像表示領域Ｄ１とサムネイル画像表示領域Ｄ２の区分は様々な形態が考えられ、ページ画像表示領域Ｄ１とサムネイル画像表示領域Ｄ２とを横並びとしてもよいし、中央にページ画像表示領域Ｄ１に配置しその周囲にサムネイル画像表示領域Ｄ２を配置してもよい。
【００５０】
（変形例２）
図６では、ページ画像表示領域Ｄ１に、サムネイル画像Ｓ２１〜Ｓ３２の内見開き状態で表示される２枚のサムネイル画像Ｓ２７，Ｓ２８に対応するページ画像Ｐ２７，Ｐ２８が表示される。本例に示すように、ページ画像表示領域Ｄ１に表示されるページ画像の枚数は限定されない。
【００５１】
（変形例３）
図６の例では、ページ画像が編集されたことを示す第１表示強調としてサムネイル画像が引き上げられる処理が行なわれる。図６においては、サムネイル画像Ｓ２３，Ｓ２５が、引き上げられた形態で表示され、ページ画像Ｐ２３，Ｐ２５が編集されたことが分かる。
また、ページ画像Ｐ２７，Ｐ２８に対して参照されたことを示す第２表示強調としては、サムネイル画像が網掛けされる。図６では、サムネイル画像Ｓ２６，Ｓ３０が、網掛けされた形態で表示され、ページ画像Ｐ２６，Ｐ３０が参照されたことが分かる。
その他、第１表示強調処理または第２表示強調処理として、サムネイル画像自体あるいはサムネイル画像中に表示される文字の拡大、カラー化、網掛けなどを行なっても構わない。
【００５２】
（第２実施形態）
図７は、本発明に係る表示装置としてのプリンター２０の外観を示す図である。図７に示すプリンター２０は、表示画面１、ケース２１、および印刷媒体排出部２２を備える。表示画面１は、画像を表示するとともに、光透過性を有する感圧式のタッチパネルを備え入力部７として機能する。プリンター２０は、ケース２１内に印刷機構、ロール状の印刷媒体、印刷機構制御部を備え、外部機器から印刷データを受信するインターフェイスを備える。プリンター２０は、さらに、図２に示す画像表示部２、制御部３、ＶＲＡＭ４、ＲＡＭ５、文献記憶部６、および入力部７を備える（不図示）。プリンター２０は、印刷機構制御部によって印刷機構を制御して、内部の印刷媒体に印刷データを印刷し、印刷媒体排出部２２から印刷された印刷媒体を排出する。
【００５３】
表示画面１には、外部機器から受信して文献記憶部６に記憶された印刷データや文献記憶部６に記憶される電子マニュアルや電子書籍あるいはユーザーが作成する文献などが表示される。この時、表示画面１の表示は、第１実施形態およびその変形例の説明と同様の表示形態で表示される。
【００５４】
（作用効果）
そのため、第２実施形態によれば、ユーザーは、多数のサムネイル画像を一覧表示で確認しつつ印刷したいページ画像に対する編集を行った後印刷が可能となるため、誤印刷を防止できる。
【符号の説明】
【００５５】
１…表示画面、２…画像表示部、３…制御部、４…ＶＲＡＭ、５…ＲＡＭ、６…文献記憶部、７…入力部、７Ａ〜７Ｆ…ボタン、７Ｅ…参照ボタン、７Ｆ…表示切替ボタン、１０…ビューワー、２０…プリンター（表示装置）、２１…ケース、２２…印刷媒体排出部、ＢＵＳ…バス、Ａ…仮想線（一点鎖線）、Ｄ１…ページ画像表示領域（第１領域）、Ｄ２…サムネイル画像表示領域（第２領域）。
【図１】
2017142711.tif 000003
【図２】
2017142711.tif 000004
【図３】
2017142711.tif 000005
【図４】
2017142711.tif 000006
【図５】
2017142711.tif 000007
【図６】
2017142711.tif 000008
【図７】
2017142711.tif 000009